【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
非一時的コンピュータ可読媒体と、
前記非一時的コンピュータ可読媒体上に保存されたプログラム命令と
を備えるコンピューティングシステムであって、
前記プログラム命令は、前記少なくとも１つのプロセッサによって実行可能であり、前記コンピューティングシステムに、
所与の異常状態インジケータに対する複数の過去の応答を示す履歴応答データを受信することであって、前記所与の異常状態インジケータは資産での所与の異常状態の発生を示す、ことと、
前記履歴応答データに基づいて、前記所与の異常状態インジケータについての応答パターンを定義することと、
所与の資産について、前記所与の異常状態インジケータの所与のインスタンスに関連する、前記所与の資産での前記所与の異常状態の所与の発生を示す動作データを受信することと、
少なくとも、前記応答パターンに基づいて、前記所与の異常状態インジケータの前記所与のインスタンスに対する可能性の高い応答の予測を行うことと、
前記予測に従って、前記所与の異常状態インジケータの前記所与のインスタンスを処理することと
を行わせる、コンピューティングシステム。
【請求項２】
前記予測に従って前記所与の異常状態インジケータの前記所与のインスタンスを処理することは、コンピューティングデバイスに、前記可能性の高い応答の推奨と共に、前記所与の異常状態インジケータの前記所与のインスタンスを出力させることを含む、請求項１に記載のコンピューティングシステム。
【請求項３】
少なくとも、前記応答パターンに基づいて、前記所与の異常状態インジケータの前記所与のインスタンスに対する前記可能性の高い応答の前記予測を行うことは、前記所与の異常状態インジケータが、無視または放置される可能性が高いと予測することを含む、請求項１または２に記載のコンピューティングシステム。
【請求項４】
前記予測に従って前記所与の異常状態インジケータの前記所与のインスタンスを処理することは、前記所与の異常状態インジケータの前記所与のインスタンスを抑制させることを含む、請求項３に記載のコンピューティングシステム。
【請求項５】
前記応答パターンは、前記所与の異常状態インジケータを無視または放置するという決定に起因する、前記複数の過去の応答のパーセンテージを含み、前記予測に従って前記所与の異常状態インジケータの前記所与のインスタンスを処理することは、前記パーセンテージが所与の閾値より低い場合、コンピューティングデバイスに、前記所与の異常状態インジケータを無視または放置するという推奨と共に、前記所与の異常状態インジケータの前記所与のインスタンスを出力させることと、前記パーセンテージが、前記所与の閾値と同一か、それより高い場合、前記所与の異常状態インジケータの前記所与のインスタンスを抑制させることとを含む、請求項３に記載のコンピューティングシステム。
【請求項６】
前記非一時的コンピュータ可読媒体上に保存されたプログラム命令を更に備えるコンピューティングシステムであって、前記プログラム命令は前記少なくとも１つのプロセッサによって実行可能であり、前記コンピューティングシステムに、少なくとも前記応答パターンに基づいて、前記所与の異常状態の発生を識別するための基準を修正させる、請求項１、２、３、４、または５のいずれか一項に記載のコンピューティングシステム。
【請求項７】
少なくとも前記応答パターンに基づいて、前記所与の異常状態インジケータの前記所与のインスタンスに対する前記可能性の高い応答の予測を行うことは、前記応答パターン、および、前記所与の資産の場所に関連する外部データに基づいて、前記所与の異常状態インジケータの前記所与のインスタンスに対する前記可能性の高い応答を予測することを含む、請求項１、２、３、４、５、または６のいずれか一項に記載のコンピューティングシステム。
【請求項８】
前記所与の資産の前記場所に関連する前記外部データは、前記所与の資産の前記場所に関連する天気データを含む、請求項７に記載のコンピューティングシステム。
【請求項９】
前記所与の異常状態の前記所与の発生を示す前記動作データは、前記異常状態インジケータの前記所与のインスタンスを含む、請求項１、２、３、４、５、６、７、または８のいずれか一項に記載のコンピューティングシステム。
【請求項１０】
前記所与の異常状態の前記所与の発生を示す前記動作データは、前記異常状態インジケータの前記所与のインスタンスを引き起こさせるセンサデータを含む、請求項１、２、３，４、５、６、７、８、または９のいずれか一項に記載のコンピューティングシステム。
【請求項１１】
プログラムであって、
コンピューティングシステムに、
所与の異常状態インジケータに対する複数の過去の応答を示す履歴応答データを受信することであって、前記所与の異常状態インジケータは、資産における所与の異常状態の発生を示す、ことと、
前記履歴応答データに基づいて、前記所与の異常状態インジケータについて応答パターンを定義することと、
所与の資産について、前記所与の異常状態インジケータの所与のインスタンスに関連する、前記所与の資産における前記所与の異常状態の所与の発生を示す動作データを受信することと、
少なくとも前記応答パターンに基づいて、前記所与の異常状態インジケータの前記所与のインスタンスに対する可能性の高い応答の予測を行うことと、
前記予測に従って、前記所与の異常状態インジケータの前記所与のインスタンスを処理することと、
を行う機能を実行させるためのプログラム。
【請求項１２】
前記予測に従って前記所与の異常状態インジケータの前記所与のインスタンスを処理することは、コンピューティングデバイスに、前記可能性の高い応答の推奨と共に、前記所与の異常状態インジケータの前記所与のインスタンスを出力させることを含む、請求項１１に記載のプログラム。
【請求項１３】
少なくとも、前記応答パターンに基づいて、前記所与の異常状態インジケータの前記インスタンスに対する前記可能性の高い応答の前記予測を行うことは、前記所与の異常状態インジケータが無視または放置される可能性が高いと予測することを含む、請求項１１または１２に記載のプログラム。
【請求項１４】
前記予測に従って前記所与の異常状態インジケータの前記所与のインスタンスを処理することは、前記所与の異常状態インジケータの前記所与のインスタンスを抑制させることを含む、請求項１３に記載のプログラム。
【請求項１５】
前記応答パターンは、前記所与の異常状態インジケータを無視するという決定に起因する、前記複数の過去の応答のパーセンテージを含み、前記予測に従って前記所与の異常状態インジケータの前記所与のインスタンスを処理することは、前記パーセンテージが所与の閾値より低い場合、コンピューティングデバイスに、前記異常状態インジケータを無視するという推奨と共に、前記所与の異常状態インジケータの前記所与のインスタンスを出力させることと、前記パーセンテージが、前記所与の閾値と同一か、それより高い場合、前記所与の異常状態インジケータの前記所与のインスタンスを抑制させることとを含む、請求項１３に記載のプログラム。
【請求項１６】
コンピュータで実装される方法であって、
所与の異常状態インジケータに対する複数の過去の応答を示す履歴応答データを受信する段階であって、前記所与の異常状態インジケータは、資産における所与の異常状態の発生を示す、段階と、
前記履歴応答データに基づいて、前記所与の異常状態インジケータについての応答パターンを定義する段階と、
所与の資産について、前記所与の異常状態インジケータの所与のインスタンスに関連する、前記所与の資産における前記所与の異常状態の所与の発生を示す動作データを受信する段階と、
少なくとも前記応答パターンに基づいて、前記所与の異常状態インジケータの前記所与のインスタンスに対する可能性の高い応答の予測を行う段階と、
前記予測に従って、前記所与の異常状態インジケータの前記所与のインスタンスを処理する段階と、
を備える、コンピュータで実装される方法。
【請求項１７】
前記予測に従って前記所与の異常状態インジケータの前記所与のインスタンスを処理する段階は、コンピューティングデバイスに、前記可能性の高い応答の推奨と共に、前記所与の異常状態インジケータの前記所与のインスタンスを出力させる段階を含む、請求項１６に記載のコンピュータで実装される方法。
【請求項１８】
少なくとも前記応答パターンに基づいて、前記所与の異常状態インジケータの前記所与のインスタンスに対する前記可能性の高い応答の前記予測を行う段階は、前記所与の異常状態インジケータが無視または放置される可能性が高いと予測する段階を含む、請求項１６または１７に記載のコンピュータで実装される方法。
【請求項１９】
前記予測に従って、前記所与の異常状態インジケータの前記所与のインスタンスを処理する段階は、前記所与の異常状態インジケータの前記所与のインスタンスを抑制させる段階を含む、請求項１８に記載のコンピュータで実装される方法。
【請求項２０】
前記応答パターンは、前記所与の異常状態インジケータを無視するという決定に起因する前記複数の過去の応答のパーセンテージを含み、前記予測に従って前記所与の異常状態インジケータの前記所与のインスタンスを処理する段階は、前記パーセンテージが所与の閾値より低い場合、コンピューティングデバイスに、前記所与の異常状態インジケータを無視するという推奨と共に、前記所与の異常状態インジケータの前記所与のインスタンスを出力させる段階と、前記パーセンテージが、前記所与の閾値と同一か、それより高い場合、前記所与の異常状態インジケータの前記所与のインスタンスを抑制させる段階とを含む、請求項１８に記載のコンピュータで実装される方法。
【手続補正２】
【補正対象書類名】明細書
【補正対象項目名】０２３４
【補正方法】変更
【補正の内容】
【０２３４】
更に、本明細書に記載された例が、「人間」、「操作者」、「ユーザ」、または、他の実体などの主体によって、実行または開始される動作を伴う場合、これは、単に例および説明の目的に過ぎない。特許請求の範囲は、特許請求の範囲の文言において明示的に指定されている場合を除き、当該主体による措置を必要とするものと解釈されるべきではない。
［項目１］
少なくとも１つのプロセッサと、
非一時的コンピュータ可読媒体と、
上記非一時的コンピュータ可読媒体上に保存されたプログラム命令と
を備えるコンピューティングシステムであって、
上記プログラム命令は、上記少なくとも１つのプロセッサによって実行可能であり、上記コンピューティングシステムに、
所与の異常状態インジケータに対する複数の過去の応答を示す履歴応答データを受信することであって、上記所与の異常状態インジケータは資産での所与の異常状態の発生を示す、ことと、
上記履歴応答データに基づいて、上記所与の異常状態インジケータについての応答パターンを定義することと、
所与の資産について、上記所与の異常状態インジケータの所与のインスタンスに関連する、上記所与の資産での上記所与の異常状態の所与の発生を示す動作データを受信することと、
少なくとも、上記応答パターンに基づいて、上記所与の異常状態インジケータの上記所与のインスタンスに対する可能性の高い応答の予測を行うことと、
上記予測に従って、上記所与の異常状態インジケータの上記所与のインスタンスを処理することと
を行わせる、コンピューティングシステム。
［項目２］
上記予測に従って上記所与の異常状態インジケータの上記所与のインスタンスを処理することは、コンピューティングデバイスに、上記可能性の高い応答の推奨と共に、上記所与の異常状態インジケータの上記所与のインスタンスを出力させることを含む、項目１に記載のコンピューティングシステム。
［項目３］
少なくとも、上記応答パターンに基づいて、上記所与の異常状態インジケータの上記所与のインスタンスに対する上記可能性の高い応答の上記予測を行うことは、上記所与の異常状態インジケータが、無視または放置される可能性が高いと予測することを含む、項目１に記載のコンピューティングシステム。
［項目４］
上記予測に従って上記所与の異常状態インジケータの上記所与のインスタンスを処理することは、上記所与の異常状態インジケータの上記所与のインスタンスを抑制させることを含む、項目３に記載のコンピューティングシステム。
［項目５］
上記応答パターンは、上記所与の異常状態インジケータを無視または放置するという決定に起因する、上記複数の過去の応答のパーセンテージを含み、上記予測に従って上記所与の異常状態インジケータの上記所与のインスタンスを処理することは、上記パーセンテージが所与の閾値より低い場合、コンピューティングデバイスに、上記所与の異常状態インジケータを無視または放置するという推奨と共に、上記所与の異常状態インジケータの上記所与のインスタンスを出力させることと、上記パーセンテージが、上記所与の閾値と同一か、それより高い場合、上記所与の異常状態インジケータの上記所与のインスタンスを抑制させることとを含む、項目３に記載のコンピューティングシステム。
［項目６］
上記非一時的コンピュータ可読媒体上に保存されたプログラム命令を更に備えるコンピューティングシステムであって、上記プログラム命令は上記少なくとも１つのプロセッサによって実行可能であり、上記コンピューティングシステムに、少なくとも上記応答パターンに基づいて、上記所与の異常状態の発生を識別するための基準を修正させる、項目１に記載のコンピューティングシステム。
［項目７］
少なくとも上記応答パターンに基づいて、上記所与の異常状態インジケータの上記所与のインスタンスに対する上記可能性の高い応答の予測を行うことは、上記応答パターン、および、上記所与の資産の場所に関連する外部データに基づいて、上記所与の異常状態インジケータの上記所与のインスタンスに対する上記可能性の高い応答を予測することを含む、項目１に記載のコンピューティングシステム。
［項目８］
上記所与の資産の上記場所に関連する上記外部データは、上記所与の資産の上記場所に関連する天気データを含む、項目７に記載のコンピューティングシステム。
［項目９］
上記所与の異常状態の上記所与の発生を示す上記動作データは、上記異常状態インジケータの上記所与のインスタンスを含む、項目１に記載のコンピューティングシステム。
［項目１０］
上記所与の異常状態の上記所与の発生を示す上記動作データは、上記異常状態インジケータの上記所与のインスタンスを引き起こさせるセンサデータを含む、項目１に記載のコンピューティングシステム。
［項目１１］
実行可能な命令を保存した非一時的記憶媒体であって、
前記実行可能な命令は、
コンピューティングシステムに、
所与の異常状態インジケータに対する複数の過去の応答を示す履歴応答データを受信することであって、上記所与の異常状態インジケータは、資産における所与の異常状態の発生を示す、ことと、
上記履歴応答データに基づいて、上記所与の異常状態インジケータについて応答パターンを定義することと、
所与の資産について、上記所与の異常状態インジケータの所与のインスタンスに関連する、上記所与の資産における上記所与の異常状態の所与の発生を示す動作データを受信することと、
少なくとも上記応答パターンに基づいて、上記所与の異常状態インジケータの上記インスタンスに対する可能性の高い応答の予測を行うことと、
上記予測に従って、上記所与の異常状態インジケータの上記インスタンスを処理することと、
を行わせる、非一時的記憶媒体。
［項目１２］
上記予測に従って上記所与の異常状態インジケータの上記インスタンスを処理することは、コンピューティングデバイスに、上記可能性の高い応答の推奨と共に、上記所与の異常状態インジケータの上記インスタンスを出力させることを含む、項目１１に記載の非一時的記憶媒体。
［項目１３］
少なくとも、上記応答パターンに基づいて、上記所与の異常状態インジケータの上記インスタンスに対する上記可能性の高い応答の上記予測を行うことは、上記所与の異常状態インジケータが無視または放置される可能性が高いと予測することを含む、項目１１に記載の非一時的記憶媒体。
［項目１４］
上記予測に従って上記所与の異常状態インジケータの上記インスタンスを処理することは、上記所与の異常状態インジケータの上記インスタンスを抑制させることを含む、項目１３に記載の非一時的記憶媒体。
［項目１５］
上記応答パターンは、上記所与の異常状態インジケータを無視するという決定に起因する、上記複数の過去の応答のパーセンテージを含み、上記予測に従って上記所与の異常状態インジケータの上記インスタンスを処理することは、上記パーセンテージが所与の閾値より低い場合、コンピューティングデバイスに、上記異常状態インジケータを無視するという推奨と共に、上記所与の異常状態インジケータの上記インスタンスを出力させることと、上記パーセンテージが、上記所与の閾値と同一か、それより高い場合、上記所与の異常状態インジケータの上記所与のインスタンスを抑制させることとを含む、項目１３に記載の非一時的記憶媒体。
［項目１６］
コンピュータで実装される方法であって、
所与の異常状態インジケータに対する複数の過去の応答を示す履歴応答データを受信する段階であって、上記所与の異常状態インジケータは、資産における所与の異常状態の発生を示す、段階と、
上記履歴応答データに基づいて、上記所与の異常状態インジケータについての応答パターンを定義する段階と、
所与の資産について、上記所与の異常状態インジケータの所与のインスタンスに関連する、上記所与の資産における上記所与の異常状態の所与の発生を示す動作データを受信する段階と、
少なくとも上記応答パターンに基づいて、上記所与の異常状態インジケータの上記所与のインスタンスに対する可能性の高い応答の予測を行う段階と、
上記予測に従って、上記所与の異常状態インジケータの上記所与のインスタンスを処理する段階と、
を備える、コンピュータで実装される方法。
［項目１７］
上記予測に従って上記所与の異常状態インジケータの上記所与のインスタンスを処理する段階は、コンピューティングデバイスに、上記可能性の高い応答の推奨と共に、上記所与の異常状態インジケータの上記所与のインスタンスを出力させる段階を含む、項目１６に記載のコンピュータで実装される方法。
［項目１８］
少なくとも上記応答パターンに基づいて、上記所与の異常状態インジケータの上記所与のインスタンスに対する上記可能性の高い応答の上記予測を行う段階は、上記所与の異常状態インジケータが無視または放置される可能性が高いと予測する段階を含む、項目１６に記載のコンピュータで実装される方法。
［項目１９］
上記予測に従って、上記所与の異常状態インジケータの上記所与のインスタンスを処理する段階は、上記所与の異常状態インジケータの上記所与のインスタンスを抑制させる段階を含む、項目１８に記載のコンピュータで実装される方法。
［項目２０］
上記応答パターンは、上記所与の異常状態インジケータを無視するという決定に起因する上記複数の過去の応答のパーセンテージを含み、上記予測に従って上記所与の異常状態インジケータの上記所与のインスタンスを処理する段階は、上記パーセンテージが所与の閾値より低い場合、コンピューティングデバイスに、上記所与の異常状態インジケータを無視するという推奨と共に、上記所与の異常状態インジケータの上記所与のインスタンスを出力させる段階と、上記パーセンテージが、上記所与の閾値と同一か、それより高い場合、上記所与の異常状態インジケータの上記所与のインスタンスを抑制させる段階とを含む、項目１８に記載のコンピュータで実装される方法。